(57)【要約】【課題】  発射球送給装置の故障時における部品交換の経済性及び作業性がよく、前面板の閉鎖時における配線のたるみ発生を防止し、さらに前面板の開放状態での発射球送給装置の目視による作動検査が可能なパチンコ遊技機を提供する。【解決手段】  遊技球ｐを一球ずつ送り出す送球作動機構１７を備えた球送りユニット１８と、該送球作動機構１７を作動させる駆動源１９を備えた駆動ユニット２０とにより発射球送給装置１１を構成し、該球送りユニット１８と駆動ユニット２０とを夫々個別に前面板８の裏面に着脱可能に取り付けた。また、駆動ユニット２０を前面板８の横幅方向に沿ってスライド可能に設け、かつ該駆動ユニット２０を付勢手段により前面板８の一側縁を軸支する支軸１４から離れる方向に付勢することにより、遊技機本体３に一端が固定され、前記支軸１４の近傍を通されて、他端が駆動ユニット２０に連結された駆動源制御用の配線３０を常時緊張状態に保持するようにした。【選択図】  図４
2005192776.tif 000002
【特許請求の範囲】
【請求項１】
遊技機本体の前面に一側縁が支軸により軸支されて開閉可能に設けられた前面板と、該前面板の前面側に配設されて遊技球を貯留するとともに、遊技球を一列状にして終端の球導出口から前面板の裏面側へ遊技球を導出する案内路を備えた上受皿と、前面板の裏面側に配設されて前記球導出口からの遊技球を球発射装置に供給する発射球送給装置とを備えたパチンコ遊技機において、
前記発射球送給装置が、遊技球を一球ずつ送り出す送球作動機構を備えた球送りユニットと、該送球作動機構を作動させる駆動源を備えた駆動ユニットとからなり、該球送りユニットと駆動ユニットとが夫々個別に前面板の裏面に着脱可能に取り付けられていることを特徴とするパチンコ遊技機。
【請求項２】
球送りユニットの送球作動機構が、球導出口から導出された遊技球を一列状にして流下させる流下案内通路と、該流下案内通路の終端部に前後方向に沿って往復回動可能に軸支され、その一回の往復回動毎に遊技球を一球ずつ球発射装置側へ送り出す送球弁と、該送球弁の回動軸と偏心した位置で、側方に突成されてその上下動により該送球弁に往復回動作動を生じさせる作動杆とを備える一方、駆動ユニットが、前記作動杆と相対的離近移動可能に連係された昇降部材と、該昇降部材を、連係駆動機構を介して昇降移動させる駆動源とを備えてなるものであることを特徴とする請求項１記載のパチンコ遊技機。
【請求項３】
駆動ユニットの駆動源が電磁石であり、連係駆動機構が該電磁石の側傍に一端側が枢支され、他端側が昇降部材に連係されて、励磁により該電磁石の鉄心に吸着されるとともに、消磁により該鉄心から離脱することにより、前記一端側を支点として上下回動を生じる磁着片を備えてなることを特徴とする請求項２記載のパチンコ遊技機。
【請求項４】
駆動ユニットが前面板の横幅方向に沿ってスライド可能に設けられ、かつ該駆動ユニットが付勢手段により前面板の一側縁を軸支する支軸から離れる方向に付勢されてなり、遊技機本体に一端が固定され、前記支軸の近傍を通されて、他端が駆動ユニットに連結された駆動源制御用の配線を、前記駆動ユニットの、支軸から離れる方向へのスライド移動により、常時緊張状態に保持するようにしたことを特徴とする請求項１乃至請求項３の何れかに記載のパチンコ遊技機。
【発明の詳細な説明】
【技術分野】
【０００１】
本発明は、遊技球を一球ずつ球発射装置に供給する発射球送給装置を備えたパチンコ遊技機に関する。
【背景技術】
【０００２】
一般に、パチンコ遊技機にあっては、遊技機本体の前面に一側縁が支軸により軸支された前面板が開閉可能に設けられており、該前面板の前面側に遊技球を貯留する上受皿が配設され、また該前面板の裏面側には上受皿と球導出口を介して連通する発射球送給装置が配設されている。そして、該発射球送給装置により上受皿の遊技球を一球ずつ発射レール始端の発射位置に供給し、発射ハンドルの回動操作によって発射位置の遊技球を球発射装置の発射槌で打圧することにより、遊技盤面に順次打ち出し得るようになっている。
【０００３】
このような発射球送給装置にあって、駆動源に用いた電磁石により送球弁を往復回動させて、遊技球を一球ずつ発射レール始端の発射位置に供給するようにしたものが知られている（例えば、特許文献１，特許文献２参照）。これらの発射球送給装置は、上受皿の遊技球を一列に整列して流下させる流下案内通路の終端部に送球弁を往復回動可能に軸支して、該送球弁に一体的に設けた磁着片（磁着部）を、前記電磁石の励磁によって吸着させ、消磁によって離脱させることにより、送球弁に往復回動作動を生じさせ、その一回の往復回動毎に遊技球を一球ずつ球発射装置側へ送り出すように構成されている。そして、このような発射球送給装置にあっては、駆動源としての電磁石と、磁着片（磁着部）を備えた送球弁や該送球弁の支軸を支承する軸受け部及び流下案内通路等からなる送球作動機構とが、発射球送給装置を構成するケーシング内に一体的に組み込まれ、このケーシング単位で前面板の裏面側に取り付けられている。
【０００４】
また、駆動源に電磁石を用いていることにより、該電磁石と、遊技機本体の背面側に配置された制御基板とをつなぐ駆動源制御用の配線３０が、図５（ロ）に示すように、前面板８を開放して点検やメンテナンスを行う際の邪魔にならないように、前面板８の一側縁を軸支する支軸１４の近傍を通して遊技機本体３側から引き出されている。このような配線態様にあっては、前面板８の閉鎖状態時に比して、前面板８の開放状態時の方が、配線３０の長さをより多く（図５（ロ）における距離Ｌに相当する長さ）必要とするため、該配線３０の長さが前面板８の開放状態時に必要な長さに基づいて設定されている。このため前面板８を閉鎖すると、支軸１４の近傍部で配線３０にたるみを生じ、そのたるみ部分が前面板８と遊技機本体３との間に挟まれて前面板８の閉鎖が不能となったり、場合によっては断線に至る虞もあった。
【０００５】
そこで、このような前面板の背面側への配線をなくすようにした発射球送給装置も提案されている。これは、前面板の背面に送球弁を備えた送球作動機構を配置する一方、該送球作動機構を作動させる駆動源としてのソレノイドを遊技機本体側に配置したものであり、該ソレノイドのプランジャを遊技機本体側から送球弁に連係させ、該プランジャの進退駆動によって送球弁に往復回動作動を生じさせるようにしている（特許文献３参照）。
【特許文献１】特開２０００−１５３０２１号公報
【特許文献２】特開平６−３１２０４５号公報
【特許文献３】特開２００１−３４６９４９号公報
【発明の開示】
【発明が解決しようとする課題】
【０００６】
上記のような駆動源としての電磁石と、該電磁石により駆動される送球弁を備えた送球作動機構とをケーシング内に一体的に組み込み、このケーシング単位で前面板の裏面側に取り付けられる発射球送給装置にあっては、例えば電磁石の故障，電磁石の発熱によるケーシングの変形，送球弁の破損等が生じた場合に、その不具合部分だけを交換することができず、ケーシング単位で交換しなければならないため、不経済であるという問題点があった。また、上述したように、前面板の裏面側に延出される駆動源制御用の配線が、前面板の閉鎖時に、支軸の近傍部でたるみを生じ、該たるみが種々の不具合を惹き起こすという問題点があった。
【０００７】
一方、前面板の背面に送球弁を備えた送球作動機構を配置し、駆動源としてのソレノイドを遊技機本体側に配置した発射球送給装置にあっては、上記のような配線のたるみに起因する諸問題は防止できるが、ソレノイドの故障が生じた場合に、その交換作業を遊技機本体の背面から行わなければならないため、作業性が悪いという問題点があった。また、前面板を開放した状態では、ソレノイドのプランジャが送球作動機構の送球弁に届かないため、発射球送給装置の目視による作動検査を行えないという問題点があった。
【０００８】
本発明は、発射球送給装置の故障時における部品交換の経済性及び作業性がよく、前面板の閉鎖時における配線のたるみ発生を防止し、さらに前面板の開放状態での発射球送給装置の目視による作動検査が可能なパチンコ遊技機を提供することを目的とするものである。
【課題を解決するための手段】
【０００９】
本発明は、遊技機本体の前面に一側縁が支軸により軸支されて開閉可能に設けられた前面板と、該前面板の前面側に配設されて遊技球を貯留するとともに、遊技球を一列状にして終端の球導出口から前面板の裏面側へ遊技球を導出する案内路を備えた上受皿と、前面板の裏面側に配設されて前記球導出口からの遊技球を球発射装置に供給する発射球送給装置とを備えたパチンコ遊技機において、前記発射球送給装置が、遊技球を一球ずつ送り出す送球作動機構を備えた球送りユニットと、該送球作動機構を作動させる駆動源を備えた駆動ユニットとからなり、該球送りユニットと駆動ユニットとが夫々個別に前面板の裏面に着脱可能に取り付けられていることを特徴とするパチンコ遊技機である。
【００１０】
かかる構成において、球送りユニットの送球作動機構が、球導出口から導出された遊技球を一列状にして流下させる流下案内通路と、該流下案内通路の終端部に前後方向に沿って往復回動可能に軸支され、その一回の往復回動毎に遊技球を一球ずつ球発射装置側へ送り出す送球弁と、該送球弁の回動軸と偏心した位置で、側方に突成されてその上下動により該送球弁に往復回動作動を生じさせる作動杆とを備える一方、駆動ユニットが、前記作動杆と相対的離近移動可能に連係された昇降部材と、該昇降部材を、連係駆動機構を介して昇降移動させる駆動源とを備えてなるものとした構成が提案される。
【００１１】
さらに、前記駆動ユニットの駆動源が電磁石であり、連係駆動機構が該電磁石の側傍に一端側が枢支され、他端側が昇降部材に連係されて、励磁により該電磁石の鉄心に吸着されるとともに、消磁により該鉄心から離脱することにより、前記一端側を支点として上下回動を生じる磁着片を備えてなる構成が提案される。
【００１２】
また、前記駆動ユニットが前面板の横幅方向に沿ってスライド可能に設けられ、かつ該駆動ユニットが付勢手段により前面板の一側縁を軸支する支軸から離れる方向に付勢されてなり、遊技機本体に一端が固定され、前記支軸の近傍を通されて、他端が駆動ユニットに連結された駆動源制御用の配線を、前記駆動ユニットの、支軸から離れる方向へのスライド移動により、常時緊張状態に保持するようにした構成が提案される。
【発明の効果】
【００１３】
本発明は、上述したように、発射球送給装置が、遊技球を一球ずつ送り出す送球作動機構を備えた球送りユニットと、該送球作動機構を作動させる駆動源を備えた駆動ユニットとからなり、該球送りユニットと駆動ユニットとが夫々個別に前面板の裏面に着脱可能に取り付けられているので、任意のユニットのみの取り外しが可能である。従って、送球作動機構が故障した場合には球送りユニットのみを、また駆動源が故障した場合には駆動ユニットのみを夫々個別に交換することができ、従来の駆動源と送球作動機構とを一体的に組み込んだケーシング単位での交換に比して、経済的となる。また、従来のような送球作動機構とソレノイドからなる駆動源とを分離して、前面板側と遊技機本体側とに夫々配置した分離型の発射球送給装置とは異なり、前面板を開放した状態でも発射球送給装置が作動するため、発射球送給装置の目視による作動検査を行うことができる。さらに、このような分離型の発射球送給装置にあっては、ソレノイドの交換作業を遊技機本体の背面から行わなければならないため、作業性が悪いものであったが、本発明は前面板を開放した状態で駆動ユニットの交換ができるため、その作業性がよい。
【００１４】
また、上記構成において、球送りユニットの送球作動機構が、球導出口から導出された遊技球を一列状にして流下させる流下案内通路と、該流下案内通路の終端部に前後方向に沿って往復回動可能に軸支され、その一回の往復回動毎に遊技球を一球ずつ球発射装置側へ送り出す送球弁と、該送球弁の回動軸と偏心した位置で、側方に突成されてその上下動により該送球弁に往復回動作動を生じさせる作動杆とを備える一方、駆動ユニットが、前記作動杆と相対的離近移動可能に連係された昇降部材と、該昇降部材を、連係駆動機構を介して昇降移動させる駆動源とを備えてなるものとしたから、別体に形成された球送りユニットと駆動ユニットとからなる発射球送給装置にあって、駆動ユニットの駆動源によって球送りユニットの送球作動機構を作動させて、上受皿の遊技球を一球ずつ球発射装置側へ送り出すことができる。
【００１５】
さらに、前記駆動ユニットの駆動源が電磁石であり、連係駆動機構が該電磁石の側傍に一端側が枢支され、他端側が昇降部材に連係されて、励磁により該電磁石の鉄心に吸着されるとともに、消磁により該鉄心から離脱することにより、前記一端側を支点として上下回動を生じる磁着片を備えてなるものとしたから、電磁石の励磁・消磁に伴って上下回動を生じる磁着片によって昇降部材が昇降移動し、該昇降部材の昇降移動により、該昇降部材と相対的離近移動可能に連係された送球弁の作動杆に上下動が生じ、該作動杆の上下動によって送球弁に円滑な往復回動作動を生じさせることができる。
【００１６】
また、前記駆動ユニットが前面板の横幅方向に沿ってスライド可能に設けられ、かつ該駆動ユニットが付勢手段により前面板の一側縁を軸支する支軸から離れる方向に付勢されてなり、遊技機本体に一端が固定され、前記支軸の近傍を通されて、他端が駆動ユニットに連結された駆動源制御用の配線を、前記駆動ユニットの、支軸から離れる方向へのスライド移動により、常時緊張状態に保持するようにしたから、前面板の閉鎖時において支軸の近傍で配線にたるみが生じることがない。これにより、従来のように前面板の閉鎖時に支軸の近傍で生じるたるみが前面板と遊技機本体との間に挟まれて前面板の閉鎖が不能となったり、断線するといった不具合を未然に防止することができる。また、前面板を開放して点検やメンテナンス等の作業を行う際に、誤って配線に指や工具を引っ掛けたとしても、駆動ユニットがスライド移動することによって、駆動ユニットとの連結部に設けられたコネクタの抜けや破損を防止することができる。
【発明を実施するための最良の形態】
【００１７】
以下に、本発明の一実施例を、図１〜図７に基づいて説明する。
パチンコ遊技機１は、図１，図２に示すように、遊技島設備（図示省略）に固定される外枠２と、該外枠２の前面開口部を覆う遊技機本体３とからなる。
【００１８】
遊技機本体３は、前記外枠２に開閉可能に軸支された前面枠４と、該前面枠４に装着された各種遊技部材とにより構成されている。該遊技機本体３の前面枠４には、遊技盤面５を覆うガラス扉６と、上受皿７を備えた前面板８とが夫々開閉可能に軸支されている。また、遊技機本体３の下部には、図２に示すように、上受皿７の下方に位置させて下受皿９が前面枠４と一体に形成されており、該下受皿９の右側方に発射ハンドル１０が配設されている。さらに、発射ハンドル１０の背面側には、後述する発射球送給装置１１を介して前記上受皿７から一個ずつ供給される遊技球を遊技盤面５に打ち出す発射槌１２（図１参照）を備えた球発射装置（図示省略）が配設されている。ここで、該発射槌１２は発射レール１３の始端の発射位置に臨ませて設けられており、該発射位置に供給された遊技球を打圧し得るようになっている。
【００１９】
前記前面板８は、その一側縁が支軸１４（図４，図５参照）により軸支されて遊技機本体３の前面に開閉可能に設けられている。該前面板８の前面側には、遊技球を貯留する前記上受皿７が一体に形成されており、該上受皿７は、貯留した遊技球を一列状にして終端の球導出口１５ｂ（図３参照）から前面板８の裏面側へ導出する案内路１５ａ（図２参照）を備えている。この上受皿７には、遊技盤面５に配設された入賞装置（図示省略）への入賞により賞球として遊技機本体３内から払い出される遊技球が払い出し口１６を介して排出され、該上受皿７が満杯になると遊技球は下部の下受皿９へ排出される。
【００２０】
前面板８の裏面側には、図１に示すように、前記球導出口１５ｂから導出される遊技球を発射位置に供給する発射球送給装置１１が配設されている。該発射球送給装置１１は、遊技球を一球ずつ送り出す送球作動機構１７（図４参照）を備えた球送りユニット１８と、該送球作動機構１７を作動させる駆動源１９（図４参照）を備えた駆動ユニット２０とからなり、該球送りユニット１８と駆動ユニット２０とが左右に並ぶ状態で夫々個別に前面板８の裏面に着脱可能に取り付けられている。
【００２１】
前記球送りユニット１８は、図３に示すように、ケーシング２１に挿通される複数のビス２２を前面板８の裏面に形成された螺子孔２３に夫々螺合させることにより、着脱可能に固定されている。また、前記駆動ユニット２０は、ケーシング２４の背面に左右方向のレール２５，２５を上下一対に備えており、該レール２５，２５を前面板８の裏面に形成された左右方向のレール溝２６，２６に係合させることにより、前面板８の横幅方向に沿ってスライド可能に装着されている。ここで、各レール溝２６，２６は、前面板８の一側縁を軸支する支軸１４から遠い方の一端側にレール２５，２５より若干広幅の着脱口２６ａ，２６ａを備えており、該着脱口２６ａ，２６ａでレール２５，２５とレール溝２６，２６との係脱を可能とするとともに、該着脱口２６ａ，２６ａにレール２５，２５を挿入して他端側に移動させることにより、レール２５，２５がレール溝２６，２６にスライド可能に係合されるようになっている。これにより、駆動ユニット２０の交換時における着脱を容易に行い得るようにしている。
【００２２】
前記駆動ユニット２０のケーシング２４には、図４に示すように、前面板８の一側縁を軸支する支軸１４から遠い方の側縁に上下一対の引張バネ２７，２７の各一端が係脱可能に係止されており、該引張バネ２７，２７の各他端は、前面板８の裏面に突設されたバネ受け片２８に係止されている。そして、該引張バネ２７，２７によって駆動ユニット２０が前面板８の一側縁を軸支する支軸１４から離れる方向に付勢されており、該引張バネ２７，２７を駆動ユニット２０の付勢手段としている。
【００２３】
また、前面板８の裏面には、遊技機本体３に一端が固定され、前記支軸１４の近傍を通されて、他端がコネクタ２９を介して駆動ユニット２０に連結された駆動源制御用の配線３０が、複数の支持部材３１によって略一直線状態で移動可能に支持されている。この配線３０は、図４（イ）に示すように、前面板８の裏面での長さが該前面板８の閉鎖時において必要な一定の長さとなっており、駆動ユニット２０の、支軸１４から離れる方向へのスライド移動によって常時緊張状態に保持されている。ここで、配線３０の長さは、図５（イ）に示す前面板８の閉鎖状態時に比して、図５（ロ）に示す前面板８の開放状態では、距離Ｌに相当する分だけ長く必要となるが、前面板８を開放すると一定長さの配線３０の引張作用を受けて駆動ユニット２０が、図４（ロ）に示すように、引張バネ２７，２７の付勢に抗して距離Ｌに相当する分だけ支軸１４側に移動する。これにより、配線３０が短くても前面板８を支障なく開放することができる。また、このような開放状態から前面板８を閉鎖すると、図４（イ）に示すように、引張バネ２７，２７の付勢力によって駆動ユニット２０が引き戻され、この駆動ユニット２０のスライド移動に伴って配線３０も引き戻される。これにより、前面板８の閉鎖時に、支軸１４の近傍で配線３０にたるみが生じることがなく、このたるみが前面板８と遊技機本体３との間に挟まれて前面板８の閉鎖が不能となったり、断線するといった不具合を未然に防止することができる。また、前面板８を開放して点検やメンテナンス等の作業を行う際に、誤って配線３０に指や工具を引っ掛けたとしても、駆動ユニット２０がスライド移動することによって、駆動ユニット２０との連結部に設けられたコネクタ２９の抜けや破損を防止することができる。
【００２４】
前記発射球送給装置１１の球送りユニット１８は、図６（イ），（ロ）に示すように、球導出口１５ｂから導出された遊技球ｐを一列状にして流下させる流下案内通路３２と、該流下案内通路３２の終端部に前後方向に沿って往復回動可能に軸支された送球弁３３と、該送球弁３３の回動軸３４と偏心した位置で、側方に突成されてその上下動により該送球弁３３に往復回動作動を生じさせる作動杆３５とを備えてなる送球作動機構１７がケーシング２１内に一体的に組み込まれている。送球弁３３は、図７（イ）に示すように、その上端に起立状態で遊技球ｐの流下を遮断する球止め部３６と、図７（ロ）に示すように、前方への傾倒状態で一個の遊技球ｐを受け入れる球受け部３７とを備えたものとなっている。また、作動杆３５は、図７（イ），（ロ）に示すように、回動軸３４に対する後部側の偏心した位置から側方に突成されている。これにより、作動杆３５が下動すると送球弁３３が起立状態（図７（イ）参照）となり、作動杆３５が上動すると送球弁３３が前方へ傾動して傾倒状態（図７（ロ）参照）となる。
【００２５】
一方、前記発射球送給装置１１の駆動ユニット２０は、図６（イ），（ロ）に示すように、球送りユニット１８の送球作動機構１７を作動させる駆動源１９としての電磁石と、前記作動杆３５と相対的離近移動可能に連係された昇降部材３８と、電磁石の側傍に一端側が枢支され、他端側が昇降部材３８に連係されて、励磁により該電磁石の鉄心３９に吸着されるとともに、消磁により該鉄心３９から離脱することにより、前記一端側を支点として上下回動を生じる磁着片４０とがケーシング２４内に一体的に組み込まれている。ここで、前記磁着片４０の他端側は、昇降部材３８の上部に形成された上下一対の係止爪４１，４１間に挿入されて昇降部材３８と連係されており、該磁着片４０によって昇降部材３８を昇降移動させる連係駆動機構が構成されている。また、該磁着片４０は、その一端側に配設された引張バネ４２によって常時電磁石の鉄心３９から離れ、昇降部材３８を下降させる方向に付勢されている。尚、昇降部材３８を重くしてその自重により下降させるようにすることもでき、この場合には引張バネ４２は不要となる。また、作動杆３５と相対的離近移動可能に連係された昇降部材３８は、作動杆３５の軸方向に沿って摺動可能に係合されており、かつ該作動杆３５の軸端で分離可能になっている。
【００２６】
かかる構成からなる発射球送給装置１１にあっては、発射ハンドル１０（図１参照）を回動させて球発射操作を行うと、発射槌１２に生じる打圧作動に連動して、遊技機本体３の背面側に配置された制御基板（図示省略）から配線３０を介して駆動源１９としての電磁石に作動電圧が一定間隔毎に印可される。これにより、図６（ロ）に示すように、励磁された電磁石の鉄心３９に磁着片４０が吸着されて昇降部材３８が上昇し、該昇降部材３８に連係された作動杆３５が上動して、図７（ロ）に示すように、送球弁３３が前方へ傾動され、該送球弁３３の球受け部３７に一個の遊技球ｐが保持される。この状態で、電磁石の消磁により鉄心３９から磁着片４０が離脱すると、図６（イ）に示すように、昇降部材３８が下降し、該昇降部材３８に連係された作動杆３５が下動して、図７（ハ）に示すように、送球弁３３が起立位置に戻り、該送球弁３３の球受け部３７に保持されていた遊技球ｐが発射装置側に放出される。そして、このような動作が繰り返されることにより、送球弁３３の一回の往復回動毎に遊技球ｐが一球ずつ発射装置側に送り出されることとなる。
【００２７】
このように、本発明は、別体に形成された球送りユニット１８と駆動ユニット２０とからなる発射球送給装置１１にあって、駆動ユニット２０の駆動源１９によって球送りユニット１８の送球作動機構１７を作動させて、上受皿７の遊技球を一球ずつ球発射装置側へ送り出すことができる。また、駆動ユニット２０の駆動源１９を電磁石とし、昇降部材３８を昇降移動させる連係駆動機構を、該電磁石の側傍に一端側が枢支され、他端側が昇降部材３８に連係されて、励磁により該電磁石の鉄心３９に吸着されるとともに、消磁により該鉄心３９から離脱することにより、前記一端側を支点として上下回動を生じる磁着片４０を備えてなるものとしたから、電磁石の励磁・消磁に伴って上下回動を生じる磁着片４０によって昇降部材３８が昇降移動し、該昇降部材３８の昇降移動により、該昇降部材３８と相対的離近移動可能に連係された送球弁３３の作動杆３５に上下動が生じ、該作動杆３５の上下動によって送球弁３３に円滑な往復回動作動を生じさせることができる。
【００２８】
また、球送りユニット１８と駆動ユニット２０とが夫々個別に前面板８の裏面に着脱可能に取り付けられているので、任意のユニットのみの取り外しが可能である。これにより、送球作動機構１７が故障した場合には球送りユニット１８のみを、また駆動源１９が故障した場合には駆動ユニット２０のみを夫々個別に交換することができ、従来の駆動源と送球作動機構とを一体的に組み込んだケーシング単位での交換に比して、経済的となる。また、従来のような送球作動機構とソレノイドからなる駆動源とを分離した分離型の発射球送給装置とは異なり、前面板８を開放した状態でも発射球送給装置１１が作動するため、発射球送給装置１１の目視による作動検査を行うことができる。さらに、従来の分離型の発射球送給装置にあっては、ソレノイドの交換作業を遊技機本体の背面から行わなければならず、作業性が悪いものであったが、本発明は前面板８を開放した状態で遊技機本体３の前面側で駆動ユニット２０の交換ができるため、その作業性が極めてよいものとなっている。
【００２９】
さらに、上述したように、駆動源制御用の配線３０を、前記駆動ユニット２０の、支軸１４から離れる方向へのスライド移動によって常時緊張状態に保持するようにしたから、前面板８の閉鎖時に、支軸１４の近傍で配線３０にたるみが生じることがなく、このたるみが前面板８と遊技機本体３との間に挟まれて前面板８の閉鎖が不能となったり、断線するといった不具合を未然に防止することができる。また、配線３０にねじれが生じた場合にも、駆動ユニット２０のスライド移動によって、配線３０の過度の張力が吸収され、コネクタ２９の抜けが防止される。さらに、前面板８を開放して点検やメンテナンス等の作業を行う際に、誤って配線３０に指や工具を引っ掛けたとしても、駆動ユニット２０がスライド移動することによって、駆動ユニット２０との連結部に設けられたコネクタ２９の抜けや破損を防止することができる。ここで、特開2001-204937号公報に開示されているような前面板８とガラス扉６とが一体に形成されたパチンコ遊技機にあっては、前面板８が開放される頻度が多いため、この構成は特に有用である。
【図面の簡単な説明】
【００３０】
【図１】本発明にかかるパチンコ遊技機１の斜視図である。
【図２】同上のパチンコ遊技機１の下半部分の斜視図である。
【図３】球送りユニット１８と駆動ユニット２０とを取り外した前面板８裏面の斜視図である。
【図４】（イ）は閉鎖時、（ロ）は開放時の状態を示す前面板８の背面図である。
【図５】（イ）は前面板８の閉鎖時、（ロ）は前面板８の開放時における配線３０の状態を示す支軸１４近傍部分の平面図である。
【図６】（イ）は電磁石（駆動源１９）の消磁状態、（ロ）は電磁石（駆動源１９）の励磁状態を示す発射球送給装置１１の縦断面図である。
【図７】（イ）は送球弁３３による遊技球ｐの遮断状態、（ロ）は送球弁３３による遊技球ｐの受入状態、（ハ）は送球弁３３による遊技球ｐの送り出し状態を夫々示す球送りユニット１８の縦断側面図である。
【符号の説明】
【００３１】
１  パチンコ遊技機
３  遊技機本体
７  上受皿
８  前面板
１１  発射球送給装置
１４  支軸
１５ａ  案内路
１５ｂ  球導出口
１７  送球作動機構
１８  球送りユニット
１９  駆動源（電磁石）
２０  駆動ユニット
２７  引張バネ（付勢手段）
３０  配線
３２  流下案内通路
３３  送球弁
３４  回動軸
３５  作動杆
３８  昇降部材
３９  鉄心
４０  磁着片（連係駆動機構）
ｐ  遊技球
【図１】
2005192776.tif 000003
【図２】
2005192776.tif 000004
【図３】
2005192776.tif 000005
【図４】
2005192776.tif 000006
【図５】
2005192776.tif 000007
【図６】
2005192776.tif 000008
【図７】
2005192776.tif 000009